(57)【要約】      （修正有）【課題】軽量且つ高い光学性能を有したズームレンズ系、ズームレンズを有する交換レンズ装置、及びカメラシステムを提供する。【解決手段】物体側から像側に順に、負の屈折力の第１レンズ群、正の屈折力の第２レンズ群、正の屈折力の第３レンズ群より構成され、広角端から望遠端への変倍の際に各レンズ群が光軸方向に移動する。前記、第３レンズ群の最も像面側のレンズには、像面側に凹面を向けた負メニスカスレンズを有し、以下の条件を満足する。０．１＜ＳＤ／ＴＤ＜０．５・・・（１）、−１５＜(Ｒｎｆ＋Ｒｎｒ)/(Ｒｎｆ−Ｒｎｒ)＜−１．８・・・（２）、但し、ＳＤは広角端における開口絞りから最終レンズまでの距離、ＴＤは広角端における第１レンズから最終レンズまでの距離、Ｒｎｆ、Ｒｎｒは第３レンズ群の最も像面側のレンズの物体側と像側の曲率半径である。【選択図】図１
2018025579.tif 000002
【特許請求の範囲】
【請求項１】
物体側から像側に順に、負の屈折力の第１レンズ群、正の屈折力の第２レンズ群、正の屈折力の第３レンズ群より構成され、広角端から望遠端への変倍の際に各レンズ群が光軸方向に移動する。前記、第３レンズ群の最も像面側のレンズには、像面側に凹面を向けた負メニスレンズを有し、以下の条件を満足することを特徴とするズームレンズ。
０．１ ＜  ＳＤ／ＴＤ  ＜０．５      ・・・（１）
−１５  ＜  (Ｒｎｆ＋Ｒｎｒ)/ (Ｒｎｆ−Ｒｎｒ)  ＜−１．８ ・・・（２）
但し、
ＳＤは広角端における開口絞りから最終レンズまでの距離、
ＴＤは広角端における第１レンズから最終レンズまでの距離、
Ｒｎｆ、Ｒｎｒは第３レンズ群の最も像面側のレンズの物体側と像側の曲率半径
である。
【請求項２】
前記第１レンズ群と第２レンズ群の間に開口絞りを有することを特徴とする請求項１に記載のズームレンズ。
【請求項３】
以下の条件を満足することを特徴とする請求項１または請求項２に記載のズームレンズ。
−３．０ ＜  ｆ１／ｆｗ  ＜ −１．５  ・・・（３）
但し、ｆ１は第１レンズ群の焦点距離、ｆｗは広角端の焦点距離である。
【請求項４】
以下の条件を満足することを特徴とする請求項１乃至請求項３のいずれか１項に記載のズームレンズ。
−２．７ ＜  ｆｎ／ｆ３  ＜ −０．９  ・・・（４）
但し、ｆｎは第３レンズ群の最も像面側の負レンズの焦点距離、ｆ３は第３レンズ群の焦点距離である。
【請求項５】
広角端から望遠端への変倍の際に第２レンズ群と第３レンズ群の間隔が狭まるように移動することを特徴とする請求項１乃至４のいずれか１項に記載のズームレンズ。
【請求項６】
前記第３レンズ群は正の屈折力の第１レンズ、正の屈折力の第２レンズ、負の屈折力の第３レンズより構成されることを特徴とする請求項１乃至５のいずれか１項に記載のズームレンズ。
【請求項７】
前記第３レンズ群の正の屈折力のレンズには非球面を有することを特徴とする請求項１乃至６のいずれか１項に記載のズームレンズ。
【請求項８】
広角端から望遠端への変倍の際に第１レンズ群は像面側に凸形状となる軌跡となって移動することを特徴とする請求項１乃至７のいずれか１項に記載のズームレンズ。
【請求項９】
請求項１乃至７のいずれか１項に記載の広角レンズを有していることを特徴とする光学機器。
【発明の詳細な説明】
【技術分野】
【０００１】
本発明は、光学系に関し、特に銀塩フィルムカメラ、デジタルスチルカメラ、ビデオカメラ、デジタルビデオカメラ等のズームレンズ及びそれを有する光学機器に関するものである。
【背景技術】
【０００２】
近年、デジタルカメラやビデオカメラ等の光学機器には、高画素の撮像素子が用いられている。このような高画素の撮像素子を備える光学機器に用いられる撮影光学系には、諸収差が良好に補正され、画面全体にわたり高い光学性能を有することが要求されている。
【０００３】
ズーム比の比較的小さい広角系ズームレンズには小型、軽量な光学系として、一般に負群先行のパワー配置をとるものが多い(特許文献１)。このタイプは、ミラーボックスがあるために長いバックフォーカスが要求される一眼レフ用ズームレンズに有利である。
【０００４】
一般に光学系全体の小型化または軽量化を図るほど各群のパワーが強くなったり、また収差補正に必要なレンズ枚数が少なくなったりと、諸収差が多く発生し、光学性能が低下する傾向にある。例えば、広角・標準ズームレンズ系として、特許文献１がある。
【先行技術文献】
【特許文献】
【０００５】
【特許文献１】特許第3081698号公報
【発明の概要】
【発明が解決しようとする課題】
【０００６】
しかしながら、上述の特許文献に開示された従来技術では、諸収差は良好に補正されているものの、広角端の像面湾曲が大きく、画面全体にわたり十分な光学性能を有するとは言い難い。
【０００７】
そこで、本発明の目的は、上記、広角端の像面湾曲を補正し、且つ高い光学性能を有したズームレンズ系、ズームレンズを有する交換レンズ装置、及びカメラシステムを提供することである。
【課題を解決するための手段】
【０００８】
上記目的を達成するために、本発明は、物体側から像側に順に、負の屈折力の第１レンズ群、正の屈折力の第２レンズ群、正の屈折力の第３レンズ群より構成され、広角端から望遠端への変倍の際に各レンズ群が光軸方向に移動する。前記、第３レンズ群の最も像面側のレンズには、像面側に凹面を向けた負メニスカスレンズを有し、以下の条件を満足することを特徴とするズームレンズ。
０．１＜ＳＤ／ＴＤ  ＜０．５      ・・・（１）
−１５＜(Ｒｎｆ＋Ｒｎｒ)/(Ｒｎｆ−Ｒｎｒ)＜−１．８ ・・・（２）
但し、
ＳＤは、広角端における開口絞りから最終レンズまでの距離、
ＴＤは広角端における第１レンズから最終レンズまでの距離、
Ｒｎｆ、Ｒｎｒは、第３レンズ群の最も像面側の負レンズの物体側と像側の曲率半径
である。
【発明の効果】
【０００９】
本発明によれば、小型、軽量で高い光学性能を有したズームレンズ系、ズームレンズを有する交換レンズ装置、及びカメラシステムを提供することができる。
【図面の簡単な説明】
【００１０】
【図１】実施例１無限遠物点における断面図
【図２】実施例１広角端の無限遠物点における縦収差図
【図３】実施例１望遠端の無限遠物点における縦収差図
【図４】実施例２無限遠物点における断面図
【図５】実施例２広角端の無限遠物点における縦収差図
【図６】実施例２望遠端の無限遠物点における縦収差図
【図７】実施例３無限遠物点における断面図
【図８】実施例３広角端の無限遠物点における縦収差図
【図９】実施例３望遠端の無限遠物点における縦収差図
【図１０】レンズを備える一眼レフカメラ(光学機器)の要部概略図
【発明を実施するための形態】
【００１１】
以下に、本発明の好ましい実施の形態を、添付の図面に基づいて詳細に説明する。図１は、本発明の実施形態にかかわる光学断面図と簡易移動図である。
【００１２】
本発明の光学系は、カメラ用の広角・標準ズームレンズである。物体側から像側に順に、負の屈折力の第１レンズ群、正の屈折力の第２レンズ群、正の屈折力の第３レンズ群を有し、広角端から望遠端への変倍の際に各レンズ群が光軸方向に移動する。フォーカシングに際して、第１レンズ群が光軸方向に移動する。小型・軽量でズーム比の比較的小さい広角系ズームレンズに多用されているレンズ構成で、ミラーボックスがあるために長いバックフォーカスが要求される一眼レフ用ズームレンズによく用いられる。
【００１３】
上述のレンズタイプでは、小型化または軽量化を図るほど、負の屈折力の第１レンズ群のパワーが強くなり、広角端での像面湾曲が低下しやすい。このため、本発明の光学系は、前記、第３レンズ群の最も像面側のレンズに、像面側に凹面を向けた負メニスカスレンズを配置している。広角端での軸外光束がレンズの高い位置を通過する箇所に、像面側に凹面を向けた負メニスカスレンズを配置することで、広角端での像面湾曲を低減することができる。
【００１４】
以下の条件を満足することを特徴とするズームレンズ。
０．１ ＜  ＳＤ／ＴＤ  ＜０．５ ・・・（１）
−１５  ＜  (Ｒｎｆ＋Ｒｎｒ)/ (Ｒｎｆ−Ｒｎｒ)  ＜−１．８ ・・・（２）
但し、
ＳＤは広角端における開口絞りから最終レンズまでの距離、
ＴＤは広角端における第１レンズから最終レンズまでの距離、
Ｒｎｆ、Ｒｎｒは第３レンズ群の最も像面側のレンズの物体側と像側の曲率半径
である。
【００１５】
条件式（１）は、開口絞り位置を適切な位置に設定するための条件式である。条件式（１）の上限を超えて開口絞り位置が物体側よりになると、光学系の光学全長が長くなり、小型化するのに困難となる。また、条件式（１）の下限を超えて開口絞り位置が像面側よりなると、第３レンズ群の最も像面側のレンズに通過する軸外光束が低くなり、広角端での像面湾曲を低減することができなくなる。
【００１６】
更に好ましくは条件式（１）の数値範囲を次の如く設定するのが良い。
０．２ ＜  ＳＤ／ＴＤ  ＜０．４５  ・・・（１ａ）
条件式（２）は、前記、第３レンズ群の最も像面側に配置された負レンズのメニスカス形状を示すシェイプファクターである。条件式（２）の上限を超えると、望遠端における球面収差が補正過剰となり、光学性能を維持することが困難となる。また、条件式（２）の下限を超えると、前記第１レンズ群より発生する像面湾曲の補正できなくなり、光学性能を維持することが困難となる。
【００１７】
更に好ましくは条件式（２）の数値範囲を次の如く設定するのが良い。
−８  ＜  (Ｒｎｆ＋Ｒｎｒ)/ (Ｒｎｆ−Ｒｎｒ)  ＜−３  ・・・（２ａ）
各実施例によれば、以上のようにレンズ構成を特定することによって、小型、軽量で高い光学性能を有したズームレンズが得られる。
【００１８】
各実施例において、更に小型、軽量で、高い光学性能を得るには、以下の条件式（３）を満足する構成である。
−３．０ ＜  ｆ１／ｆｗ  ＜ −１．５  ・・・（３）
但し、ｆ１は第１レンズ群の焦点距離、ｆｗは広角端の焦点距離である。
【００１９】
条件式（３）は、第１レンズ群の焦点距離と広角端の焦点距離の比を示す。条件式（３）は、光学系の小型、軽量化と良好な光学性能を適切にするための条件式である。条件式（３）の上限を超えて第１レンズ群の屈折力が強くなると、広角端において、像面湾曲が大きくなり光学性能が維持するのが困難になる。条件式（３）の下限を超えて第１レンズ群の屈折力が弱くなると、光学系は大型化してしまう。更に好ましくは条件式（３）の数値範囲を次の如く設定するのが良い。
−２．０ ＜  ｆ１／ｆｗ  ＜ −１．７  ・・・（３a）
【００２０】
各実施例において、更に小型、軽量で、高い光学性能を得るには、高い光学性能を得るには、以下の条件式（４）を満足する構成である。
−２．７ ＜  ｆｎ／ｆ３  ＜ −０．９  ・・・（４）
但し、ｆｎは第３レンズ群の最も像面側の負レンズの焦点距離、ｆ３は第３レンズ群の焦点距離である。
【００２１】
条件式（４）は、広角端における像面湾曲をより適切にするための条件式である。条件式（４）の上限を超えて第３レンズ群の最も像面側の負レンズの屈折力が強くなると、像面湾曲が過補正となり好ましくない。条件式（４）の下限を超えて第３レンズ群の最も像面側の負レンズの屈折力が弱くなると、像面湾曲が補正不足となり好ましくない。
【００２２】
また各実施例において、広角端から望遠端への変倍の際に第２レンズ群と第３レンズ群の間隔が狭まるように移動することが好ましい。上述のようにすることで、望遠端における軸外光束を低くなり、像面湾曲を低減することができ、画面周辺まで良好な光学性能を得ることができる。
【００２３】
また各実施例において、前記第３レンズ群は正の屈折力の第１レンズ、正の屈折力の第２レンズ、負の屈折力の第３レンズより構成されることが好ましい。上述のようにすることで、変倍の際の球面収差変動を低減することができ、画面周辺まで良好な光学性能を得ることができる。
【００２４】
また各実施例において、前記第３レンズ群の正の屈折力のレンズには非球面を有することが好ましい。この位置に非球面を配置することで、変倍の際の球面収差変動を低減することができ、画面周辺まで良好な光学性能を得ることができる。
【００２５】
また各実施例において、広角端から望遠端への変倍の際に第１レンズ群は像面側に凸形状となる軌跡となって移動することが好ましい。上述のようにすることで、光学系の全長を小さくすることができる。
【００２６】
各実施例によれば、以上のようにレンズ構成を特定することによって、小型、軽量で高い光学性能を有したズームレンズが得られる。
【００２７】
次に、本発明のズームレンズを用いた一眼レフカメラシステム（光学機器）の実施例を、図１０を用いて説明する。
【００２８】
図１０において、１０は一眼レフカメラ本体、１１は本発明によるズームレンズを搭載した交換レンズである。１２は交換レンズ１１を通して得られる被写体像を記録するフィルムや撮像素子などの記録手段である。１３は交換レンズ１１からの被写体像を観察するファインダー光学系、１４は交換レンズ１１で形成された被写体像を記録手段１２とファインダー光学系１３に切り替えて伝送するための回動するクイックリターンミラーである。ファインダーで被写体像を観察する場合は、クイックリターンミラー１４を介してピント板１５に結像した被写体像をペンタプリズム１６で正立像としたのち、接眼光学系１７で拡大して観察する。
【００２９】
撮影時にはクイックリターンミラー１４が矢印方向に回動して被写体像は記録手段１２に結像して記録される。１８はサブミラー、１９は焦点検出装置である。
【００３０】
このように本発明の広角レンズを一眼レフカメラ等の交換レンズ等の光学機器に適用することにより、高い光学性能を有した光学機器が実現できる。
【００３１】
また、本光学機器は、クイックリターンミラー１４等を有さないミラ−レスの一眼レフカメラでも良いし、レンズ交換式ではない構成のものでも良い。
【００３２】
各実施例において、rは曲率半径、dはレンズ厚またはレンズ間隔、ndはd線の屈折率、vdはアッベ数、BFはバックフォーカス値を示す。
【００３３】
以下に、本発明の好ましい実施の形態を、実施例に基づいて説明する。
【００３４】
［実施例１］
図１から図３と数値データ１は本発明によるズームレンズの実施例１を示している。図１はレンズ構成断面図と移動軌跡、図２は無限遠にフォーカスを合わせたときの広角端での諸収差図、図３は無限遠にフォーカスを合わせたときの望遠端での諸収差図である。
【００３５】
本光学系は、物体側から順に、負の屈折力の第１レンズ群Ｌ１、正の屈折力の第２レンズ群Ｌ２、正の屈折力の第３レンズ群Ｌ３からなる。第１レンズ群Ｌ１は、物体側から順に物体側に凸の負メニスカスレンズＧ１と物体側に凸の負メニスカスレンズＧ２と物体側に凸の正メニスカスレンズＧ３から構成されている。また、該負メニスカスレンズＧ２とは樹脂材料で構成されている。
【００３６】
第２レンズ群Ｌ２は、物体側から順に開口絞り、両凸レンズＧ４、両凹レンズＧ５から構成されている。第３レンズ群Ｌ３は、物体側から順に物体側に凸の正メニスカスレンズＧ６、両凸レンズＧ７、物体側に凸の負メニスカスレンズＧ８から構成されている。また、該正メニスカスレンズＧ６とは樹脂材料で構成されている。広角端から望遠端へのズーミングに際して、第１レンズ群Ｌ１は往復するように動き、第２レンズ群Ｌ２、第３レンズ群Ｌ３は物体側へ動き、第２レンズ群と第３レンズ群の間隔が狭まるように動く。また、無限から至近への合焦の際に第１レンズ群Ｌ１が光軸上を物体側へ動く。
【００３７】
各実施例の光学系は、銀塩フィルムカメラ、デジタルスチルカメラ、ビデオカメラ、デジタルビデオカメラ等の光学機器に用いられる撮影光学系である。レンズ断面図において、左方が物体側（前方）で、右方が像側（後方）である。レンズ断面図において、ＳＰは絞り（開口絞り）である。
【００３８】
ＩＰは像面であり、ビデオカメラやデジタルスチルカメラの撮影光学系として使用する際にはＣＣＤセンサやＣＭＯＳセンサなどの固体撮像素子（光電変換素子）の撮像面が、銀塩フィルム用カメラのときはフィルム面に相当する。
【００３９】
それぞれの縦収差図は、左から順に、球面収差、非点収差、歪曲、倍率色収差を表している。球面収差と倍率色収差を示す図において、実線はｄ線（５８７．６ｎｍ）、破線はｇ線（４３５．８ｎｍ）を表している。また、非点収差を示す図において、実線はｄ線のサジタル方向ΔＳ、破線はｄ線のメリディオナル方向ΔＭを表している。また、歪曲を示す図は、ｄ線における歪曲を表している。横収差図において、実線はｄ線のメリディオナル方向ΔＭ、破線はｄ線のサジタル方向ΔＳを表している。ＦｎｏはＦナンバー、ωは半画角、ｈｇｔは像高である。
【００４０】
（数値データ１）
面データ
面番号       r        d      nd         vd
1         73.078    1.30   1.63854    55.4           
2         15.287    7.77                             
3*        81.770    2.00   1.52996    55.8           
4*        31.883    3.96                             
5         44.704    2.47   1.84666    23.8           
6        111.146  (可変)                             
7(絞り)    ∞       1.27                             
8         21.019    4.25   1.60311    60.6           
9        -41.085    2.00                             
10        -28.016    0.70   1.83400    37.2           
11         98.080  (可変)                             
12*        18.930    1.50   1.52996    55.8           
13*        24.946    1.06                             
14         49.862    3.76   1.49700    81.5           
15        -21.783    2.66                             
16         23.205    0.80   1.83400    37.2           
17         15.339  (可変)                             
像面        ∞   
非球面データ
第3面
K = 0.00000e+000  A 4=-1.83449e-005  A 6= 3.56950e-007  A 8=-5.49208e-009  A10= 3.90506e-011  A12=-1.24339e-013  A14= 1.25666e-016  A16=-1.28889e-020  
第4面
K =-2.82627e+000  A 4=-3.07209e-005  A 6= 3.73976e-007  A 8=-6.86153e-009  A10= 5.02956e-011  A12=-1.61097e-013  A14= 8.25135e-017  A16= 2.87160e-019  
第12面
K = 0.00000e+000  A 4=-1.07294e-007  A 6=-6.39737e-007  A 8=-8.88219e-009  A10= 1.13273e-010  A12=-1.54671e-012  A14= 9.66155e-015  A16=-9.83543e-018  
第13面
K = 0.00000e+000  A 4= 6.43001e-005  A 6=-8.42647e-007  A 8=-2.72285e-009  A10=-3.35000e-011  A12= 2.73615e-013  A14=-6.52526e-016  A16= 2.19178e-017  
各種データ
ズーム比      2.87 
広角     中間     望遠
焦点距離      18.61    36.00    53.35  
Fナンバー      3.54     4.69     5.88  
画角          36.28    20.78    14.36  
像高          13.66    13.66    13.66  
レンズ全長   118.99   104.91   110.93  
BF            36.91    53.96    70.72  
d 6           40.55    11.66     2.00  
d11            6.04     3.80     2.72  
d17           36.91    53.96    70.72  
ズームレンズ群データ
群  始面    焦点距離  
1    1     -33.82  
2    7      98.15  
3   12      40.89  
【００４１】
［実施例２］
図４から図６と数値データ２は本発明によるズームレンズの実施例２を示している。図４はレンズ構成断面図と移動軌跡、図５は無限遠にフォーカスを合わせたときの広角端での諸収差図、図６は無限遠にフォーカスを合わせたときの望遠端での諸収差図である。
【００４２】
本光学系は、物体側から順に、負の屈折力の第１レンズ群Ｌ１、正の屈折力の第２レンズ群Ｌ２、正の屈折力の第３レンズ群Ｌ３からなる。第１レンズ群Ｌ１は、物体側から順に物体側に凸の負メニスカスレンズＧ１と物体側に凸の負メニスカスレンズＧ２と物体側に凸の正メニスカスレンズＧ３から構成されている。また、該負メニスカスレンズＧ２とは樹脂材料で構成されている。第２レンズ群Ｌ２は、物体側から順に開口絞り、両凸レンズＧ４、両凹レンズＧ５から構成されている。第３レンズ群Ｌ３は、物体側から順に物体側に凸の正メニスカスレンズＧ６、両凸レンズＧ７、物体側に凸の負メニスカスレンズＧ８から構成されている。また、該正メニスカスレンズＧ６とは樹脂材料で構成されている。
【００４３】
広角端から望遠端へのズーミングに際して、第１レンズ群Ｌ１は往復するように動き、第２レンズ群Ｌ２、第３レンズ群Ｌ３は物体側へ動き、第２レンズ群と第３レンズ群の間隔が狭まるように動く。また、無限から至近への合焦の際に第１レンズ群Ｌ１が光軸上を物体側へ動く。
【００４４】
（数値データ２）
面データ
面番号       r        d      nd         vd
1         72.113    1.30   1.63854    55.4           
2         15.374    7.66                             
3*        76.647    2.00   1.52996    55.8           
4*        31.049    3.83                             
5         39.456    2.45   1.84666    23.8           
6         81.012  (可変)                             
7(絞り)    ∞       0.65                             
8         19.818    4.41   1.60311    60.6           
9        -39.949    1.00                             
10        -31.042    0.70   1.83400    37.2           
11        130.866  (可変)                             
12*        17.407    1.50   1.52996    55.8           
13*        22.518    1.34                             
14         85.055    3.04   1.59522    67.7           
15        -26.082    1.61                             
16         28.068    0.80   1.90366    31.3           
17         16.970  (可変)                             
像面        ∞   
非球面データ
第3面
K = 0.00000e+000  A 4=-1.99339e-005  A 6= 3.65117e-007  A 8=-5.43130e-009  A10= 3.86230e-011  A12=-1.24623e-013  A14= 1.34478e-016  A16=-3.89336e-020  
第4面
K =-2.67403e+000  A 4=-3.12193e-005  A 6= 3.79685e-007  A 8=-6.82812e-009  A10= 5.04019e-011  A12=-1.62565e-013  A14= 7.60310e-017  A16= 3.27307e-019  
第12面
K = 0.00000e+000  A 4=-3.92905e-006  A 6=-6.49903e-007  A 8=-8.82611e-009  A10= 1.09042e-010  A12=-1.55082e-012  A14= 1.05626e-014  A16=-2.76455e-017  
第13面
K = 0.00000e+000  A 4= 6.52312e-005  A 6=-8.54740e-007  A 8=-3.05889e-009  A10=-2.95827e-011  A12= 2.46436e-013  A14=-2.65418e-015  A16= 4.14924e-017  
各種データ
ズーム比      2.87 
広角     中間     望遠
焦点距離      18.61    36.00    53.35  
Fナンバー      3.57     4.71     5.88  
画角          36.28    20.78    14.36  
像高          13.66    13.66    13.66  
レンズ全長   116.94   102.68   108.65  
BF            36.61    53.70    70.33  
d 6           40.55    11.71     2.00  
d11            7.49     4.98     4.04  
d17           36.61    53.70    70.33  
ズームレンズ群データ
群  始面    焦点距離  
1    1     -33.56  
2    7      65.23  
3   12      53.73  
【００４５】
［実施例３］
図７から図９と数値データ３は本発明によるズームレンズの実施例３を示している。図６はレンズ構成断面図と移動軌跡、図７は無限遠にフォーカスを合わせたときの広角端での諸収差図、図８は無限遠にフォーカスを合わせたときの望遠端での諸収差図である。
【００４６】
本光学系は、物体側から順に、負の屈折力の第１レンズ群Ｌ１、正の屈折力の第２レンズ群Ｌ２、正の屈折力の第３レンズ群Ｌ３からなる。第１レンズ群Ｌ１は、物体側から順に物体側に凸の負メニスカスレンズＧ１と物体側に凸の負メニスカスレンズＧ２と物体側に凸の正メニスカスレンズＧ３から構成されている。また、該負メニスカスレンズＧ２とは樹脂材料で構成されている。第２レンズ群Ｌ２は、物体側から順に開口絞り、両凸レンズＧ４、両凹レンズＧ５から構成されている。
【００４７】
第３レンズ群Ｌ３は、物体側から順に物体側に凸の正メニスカスレンズＧ６、両凸レンズＧ７、物体側に凸の負メニスカスレンズＧ８から構成されている。また、該正メニスカスレンズＧ６とは樹脂材料で構成されている。広角端から望遠端へのズーミングに際して、第１レンズ群Ｌ１は往復するように動き、第２レンズ群Ｌ２、第３レンズ群Ｌ３は物体側へ動き、第２レンズ群と第３レンズ群の間隔が狭まるように動く。また、無限から至近への合焦の際に第１レンズ群Ｌ１が光軸上を物体側へ動く。
【００４８】
（数値データ３）
面データ
面番号       r        d      nd         vd
1         72.113    1.30   1.63854    55.4           
2         15.374    7.66                             
3*        76.647    2.00   1.52996    55.8           
4*        31.049    3.83                             
5         39.456    2.45   1.84666    23.8           
6         81.012  (可変)                             
7(絞り)    ∞       0.65                             
8         19.818    4.41   1.60311    60.6           
9        -39.949    1.00                             
10        -31.042    0.70   1.83400    37.2           
11        130.866  (可変)                             
12*        17.407    1.50   1.52996    55.8           
13*        22.518    1.34                             
14         85.055    3.04   1.59522    67.7           
15        -26.082    1.61                             
16         28.068    0.80   1.90366    31.3           
17         16.970  (可変)                             
像面        ∞   
非球面データ
第3面
K = 0.00000e+000  A 4=-1.99339e-005  A 6= 3.65117e-007  A 8=-5.43130e-009  A10= 3.86230e-011  A12=-1.24623e-013  A14= 1.34478e-016  A16=-3.89336e-020  
第4面
K =-2.67403e+000  A 4=-3.12193e-005  A 6= 3.79685e-007  A 8=-6.82812e-009  A10= 5.04019e-011  A12=-1.62565e-013  A14= 7.60310e-017  A16= 3.27307e-019  
第12面
K = 0.00000e+000  A 4=-3.92905e-006  A 6=-6.49903e-007  A 8=-8.82611e-009  A10= 1.09042e-010  A12=-1.55082e-012  A14= 1.05626e-014  A16=-2.76455e-017  
第13面
K = 0.00000e+000  A 4= 6.52312e-005  A 6=-8.54740e-007  A 8=-3.05889e-009  A10=-2.95827e-011  A12= 2.46436e-013  A14=-2.65418e-015  A16= 4.14924e-017  
各種データ
ズーム比      2.87 
広角     中間     望遠
焦点距離      18.61    36.00    53.35  
Fナンバー      3.57     4.71     5.88  
画角          36.28    20.78    14.36  
像高          13.66    13.66    13.66  
レンズ全長   116.94   102.68   108.65  
BF            36.61    53.70    70.33  
d 6           40.55    11.71     2.00  
d11            7.49     4.98     4.04  
d17           36.61    53.70    70.33  
ズームレンズ群データ
群  始面    焦点距離  
1    1     -33.56  
2    7      65.23  
3   12      53.73  
以上、本発明の好ましい実施形態について説明したが、本発明はこれらの実施形態に限定されず、その要旨の範囲内で種々の変形及び変更が可能である。
【００４９】
次に各条件式に対しての値を表１に示す。
【００５０】
【表１】
2018025579.tif 000003
【符号の説明】
【００５１】
ＳＰ  絞り
ＩＰ  像面
ｄ    ｄ線
ｇ    ｇ線
Ｍ    メリディオナル像面
Ｓ    サジタル像面
【図１】
2018025579.tif 000004
【図２】
2018025579.tif 000005
【図３】
2018025579.tif 000006
【図４】
2018025579.tif 000007
【図５】
2018025579.tif 000008
【図６】
2018025579.tif 000009
【図７】
2018025579.tif 000010
【図８】
2018025579.tif 000011
【図９】
2018025579.tif 000012
【図１０】
2018025579.tif 000013